(57)【要約】【課題】変換パラメータを用いて生成された画像と同一の画像が過去に生成された際に利用された変換パラメータと、新たに生成された画像と、を自動的に対応付けることを目的とする。【解決手段】画像の変換指示を受け付ける受付手段と、画像変換に用いられる変換パラメータと、変換パラメータによる変換前後の画像と、を対応付けて記憶する記憶手段を参照し、変換指示に係る変換パラメータ及び前記変換指示に係る画像が、記憶手段において対応付けられている変換パラメータ及び変換前の画像と一致するか否かを判断する判断手段と、判断手段により一致すると判断された場合に、変換指示に係る変換後の画像を、記憶手段に記憶されている変換前の画像及び変換パラメータに対応付けて記録する記録手段とを有する。【選択図】図５
2017046172.tif 000002
【特許請求の範囲】
【請求項１】
画像の変換指示を受け付ける受付手段と、
画像変換に用いられる変換パラメータと、前記変換パラメータによる変換前後の画像と、を対応付けて記憶する記憶手段を参照し、前記変換指示に係る変換パラメータ及び前記変換指示に係る画像が、前記記憶手段において対応付けられている前記変換パラメータ及び変換前の画像と一致するか否かを判断する判断手段と、
前記判断手段により一致すると判断された場合に、前記変換指示に係る変換後の画像を、前記記憶手段に記憶されている変換前の画像及び前記変換パラメータに対応付けて記録する記録手段と
を有することを特徴とする情報処理装置。
【請求項２】
前記記憶手段は、前記変換パラメータと、前記変換パラメータによる変換前後の画像それぞれの識別情報と、を対応付けて記憶し、
前記記録手段は、前記判断手段により一致すると判断された場合に、前記変換指示に係る変換パラメータを用いて変換することにより得られた変換後の画像に対し、前記記憶手段に記憶されている前記変換後の画像の識別情報と同一の識別情報を割り当てることにより、前記変換指示に係る変換後の画像を、前記記憶手段に記憶されている前記変換前の画像の識別情報及び前記変換パラメータに対応付けて記録することを特徴とする請求項１に記載の情報処理装置。
【請求項３】
前記記憶手段は、前記変換パラメータと、前記変換パラメータによる変換前後の画像それぞれの識別情報と、を対応付けて記憶し、
前記記録手段は、前記判断手段により一致すると判断された場合に、前記変換指示に係る変換後の画像に対し新たな識別情報を生成し、前記記憶手段に記憶されている前記変換前の画像の識別情報と前記変換パラメータに、新たに生成した前記識別情報を対応付けることにより、前記変換指示に係る変換後の画像を、前記記憶手段に記憶されている前記変換前の画像及び前記変換パラメータに対応付けて記録することを特徴とする請求項１に記載の情報処理装置。
【請求項４】
前記記録手段は、前記判断手段により一致しないと判断された場合には、前記変換指示に係る変換パラメータと、前記変換指示に係る変換パラメータによる変換前後の画像を対応付けて前記記憶手段に記録することを特徴とする請求項１乃至３何れか１項に記載の情報処理装置。
【請求項５】
前記記録手段は、前記記憶手段に記憶されている変換後の画像に対応付けて、前記変換後の画像の格納場所を示す情報を記録することを特徴とする請求項１乃至４何れか１項に記載の情報処理装置。
【請求項６】
前記判断手段により一致すると判断された場合に、前記格納場所を示す情報を参照し、前記格納場所に前記変換後の画像が格納されているか否かを確認する確認手段と、
前記変換後の画像が格納されている場合に、前記格納場所を示す情報を出力する出力手段と
を有することを特徴とする請求項５に記載の情報処理装置。
【請求項７】
前記記録手段は、前記記憶手段に記憶されている変換後の画像に対応付けて、前記変換後の画像に関する関連情報をさらに記録することを特徴とする請求項１乃至６何れか１項に記載の情報処理装置。
【請求項８】
画像の変換指示を受け付ける受付手段と、
画像変換に用いられる変換パラメータと、前記変換パラメータによる変換前後の画像と、を対応付けて記憶する記憶手段を参照し、前記変換指示に係る変換パラメータ及び前記変換指示に係る画像が、前記記憶手段において対応付けられている前記変換パラメータ及び変換前の画像と一致するか否かを判断する判断手段と、
前記判断手段により一致すると判断された場合に、前記記憶手段に記憶されている、変換後の画像の格納場所を示す情報を参照し、前記格納場所に前記変換後の画像が格納されているか否かを確認する確認手段と、
前記変換後の画像が格納されている場合に、前記格納場所を示す情報を出力する出力手段と
を有することを特徴とする情報処理装置。
【請求項９】
前記変換後の画像が格納されていない場合に、前記変換パラメータによる変換後の画像を生成する生成手段と、
前記変換後の画像を、前記記憶手段に記憶されている変換前の動画及び変換パラメータに対応付けて記録する記録手段と
を有することを特徴とする請求項８に記載の情報処理装置。
【請求項１０】
情報処理装置が実行する情報処理方法であって、
画像の変換指示を受け付ける受付ステップと、
画像変換に用いられる変換パラメータと、前記変換パラメータによる変換前後の画像と、を対応付けて記憶する記憶手段を参照し、前記変換指示に係る変換パラメータ及び前記変換指示に係る画像が、前記記憶手段において対応付けられている前記変換パラメータ及び変換前の画像と一致するか否かを判断する判断ステップと、
前記判断ステップにおいて一致すると判断された場合に、前記変換指示に係る変換後の画像を、前記記憶手段に記憶されている変換前の画像及び前記変換パラメータに対応付けて記録する記録ステップと
を含むことを特徴とする情報処理方法。
【請求項１１】
情報処理装置が実行する情報処理方法であって、
画像の変換指示を受け付ける受付ステップと、
画像変換に用いられる変換パラメータと、前記変換パラメータによる変換前後の画像と、を対応付けて記憶する記憶手段を参照し、前記変換指示に係る変換パラメータ及び前記変換指示に係る画像が、前記記憶手段において対応付けられている前記変換パラメータ及び変換前の画像と一致するか否かを判断する判断ステップと、
前記判断ステップにおいて一致すると判断された場合に、前記記憶手段に記憶されている、変換後の画像の格納場所を示す情報を参照し、前記格納場所に前記変換後の画像が格納されているか否かを確認する確認ステップと、
前記変換後の画像が格納されている場合に、前記格納場所を示す情報を出力する出力ステップと
を含むことを特徴とする情報処理方法。
【請求項１２】
コンピュータを、
画像の変換指示を受け付ける受付手段と、
画像変換に用いられる変換パラメータと、前記変換パラメータによる変換前後の画像と、を対応付けて記憶する記憶手段を参照し、
前記変換指示に係る変換パラメータ及び前記変換指示に係る画像が、前記記憶手段において対応付けられている前記変換パラメータ及び変換前の画像と一致するか否かを判断する判断手段と、
前記判断手段により一致すると判断された場合に、前記変換指示に係る変換後の画像を、前記記憶手段に記憶されている変換前の画像及び前記変換パラメータに対応付けて記録する記録手段と
として機能させるためのプログラム。
【請求項１３】
コンピュータを、
画像の変換指示を受け付ける受付手段と、
画像変換に用いられる変換パラメータと、前記変換パラメータによる変換前後の画像と、を対応付けて記憶する記憶手段を参照し、
前記変換指示に係る変換パラメータ及び前記変換指示に係る画像が、前記記憶手段において対応付けられている前記変換パラメータ及び変換前の画像と一致するか否かを判断する判断手段と、
前記判断手段により一致すると判断された場合に、前記記憶手段に記憶されている、変換後の画像の格納場所を示す情報を参照し、前記格納場所に前記変換後の画像が格納されているか否かを確認する確認手段と、
前記変換後の画像が格納されている場合に、前記格納場所を示す情報を出力する出力手段と
として機能させるためのプログラム。
【発明の詳細な説明】
【技術分野】
【０００１】
本発明は、情報処理装置、情報処理方法及びプログラムに関する。
【背景技術】
【０００２】
従来、人物等の被写体を撮像して動画として記録するデジタルカメラ等の撮像装置が存在する。また、デジタルシネマ等の制作現場においては、カット編集とともに、撮影した画像を所望の見た目に補正するカラーグレーディング処理を施すことが一般的である。このカラーグレーディング処理は撮影後に、編集スタジオ等においてカラーグレーディング装置を用いて行われる。
【０００３】
動画の中には、ＳＭＰＴＥ（Society  of  Motion  Picture  and  Television  Engineers）で規定されるＵＭＩＤ（Unique  Material  Identifier）が付与されているものがある。ＵＭＩＤは１つの動画に対し一意に決まるＩＤであり、業界標準の動画識別子として用いられている。上述の動画形式変換を行った場合、変換後の動画には、変換前の動画とは別のＵＭＩＤが付与される。編集・カラーグレーディングシステムの中には、動画形式変換後の動画に対し、編集・カラーグレーディングが実施された場合、当該作業過程で適用された複数のパラメータを当該変換後の動画のＵＭＩＤと関連付けて記憶するシステムも存在する。このようにすることで、同一ＵＭＩＤを持つ動画がシステムに再度読み込まれた場合、複数のパラメータを自動的に適用でき、ユーザに上記パラメータを指定させる手間を省くことができる。
【０００４】
ところで、長期間の使用による老朽化や、火災等のアクシデント等により、動画データを記録しているストレージが壊れ、ストレージに蓄積していた動画形式変換後のデータが消失するケースが考えられる。特許文献１には、このような問題に対し、再度、動画形式変換後の動画を簡単に生成するために、変換パラメータを動画形式変換前の動画ファイル内や、別のファイル内に保存する方法が開示されている。
【先行技術文献】
【特許文献】
【０００５】
【特許文献１】特開２００７−７４３４３号公報
【発明の概要】
【発明が解決しようとする課題】
【０００６】
しかしながら、変換後の動画像が消失した際に、再度同じ変換パラメータを用いて動画像を生成した場合、新たに生成された動画像には、消失した動動画像とは異なる新たなＵＭＩＤが付与される。このため、消失した動画像のＵＭＩＤに対して関連付けられたパラメータを新たに生成された動画像に関連付けるためには、ユーザが関連付けるための操作を行う必要があり、面倒であるという問題があった。
【０００７】
本発明はこのような問題点に鑑みなされたもので、変換パラメータを用いて生成された画像と同一の画像が過去に生成された際に利用された変換パラメータと、新たに生成された画像と、を自動的に対応付けることを目的とする。
【課題を解決するための手段】
【０００８】
そこで、本発明は、画像の変換指示を受け付ける受付手段と、画像変換に用いられる変換パラメータと、前記変換パラメータによる変換前後の画像と、を対応付けて記憶する記憶手段を参照し、前記変換指示に係る変換パラメータ及び前記変換指示に係る画像が、前記記憶手段において対応付けられている前記変換パラメータ及び変換前の画像と一致するか否かを判断する判断手段と、前記判断手段により一致すると判断された場合に、前記変換指示に係る変換後の画像を、前記記憶手段に記憶されている変換前の画像及び前記変換パラメータに対応付けて記録する記録手段とを有することを特徴とする。
【発明の効果】
【０００９】
本発明によれば、変換パラメータを用いて生成された画像と同一の画像が過去に生成された際に利用された変換パラメータと、新たに生成された画像と、を自動的に対応付けることができる。
【図面の簡単な説明】
【００１０】
【図１】画像形式変換システムの全体図である。
【図２】情報処理装置を示すブロック図である。
【図３】表示画面の一例を示す図である。
【図４】変換履歴テーブルの一例を示す図である。
【図５】画像形式変換処理を示すフローチャートである。
【図６】第２の実施形態に係る変換履歴テーブルの一例を示す図である。
【図７】第２の実施形態に係る画像形式変換処理を示すフローチャートである。
【発明を実施するための形態】
【００１１】
以下、本発明の実施形態について図面に基づいて説明する。
（第１の実施形態）
図１は、本実施形態に係る画像形式変換システムの全体図である。図１において１００は画像形式の変換を行う情報処理装置、１５０、１５１は動画を表示するモニタ、１２０はカラーグレーディング処理を行うカラーグレーディング装置を示している。図１の構成のシステムにおける各機器の動作の概要を説明する。情報処理装置１００は、処理対象の動画の形式を、カラーグレーディング装置１２０でのカラーグレーディング処理に適した形式に変換する。また、情報処理装置１００は、変換後の動画を接続されたモニタ１５０に出力する。さらに、情報処理装置１００は、カラーグレーディング装置１２０に対し、変換後の動画を送信する。
【００１２】
カラーグレーディング装置１２０は、情報処理装置１００から受信した動画に対し、カラーグレーディング（詳細な見た目の調整）を行う。また、カラーグレーディング装置１２０は、カラーグレーディング結果の動画を接続されたモニタ１５１へ出力する。なお、情報処理装置１００とカラーグレーディング装置１２０間の動画の送受信は、サーバ装置等を介して送受信するような構成としてもよい。
【００１３】
なお、本実施形態においては、情報処理装置１００は、ＲＡＷ動画をＯｐｅｎＥＸＲ動画に変換するものとする。ここで、ＲＡＷ動画は、ベイヤ配列のＲＧＢ信号が格納されるＲＡＷ形式の動画である。また、ＯｐｅｎＥＸＲ動画は、ＡＣＥＳ（Ａｃａｄｅｍｙ  Ｃｏｌｏｒ  Ｅｎｃｏｄｅ  Ｓｐｅｃｉｆｉｃａｔｉｏｎ）規格のＲＧＢ信号が格納されるＯｐｅｎＥＸＲ形式の動画である。ＯｐｅｎＥＸＲは、インダストリアル・ライト＆マジック社によって開発されたファイルフォーマットであり、コンピュータグラフィックス業界で幅広く使用されている。ＲＡＷ動画及びＯｐｅｎＥＸＲ動画は、１フレームが１ファイルで構成されている。情報処理装置１００は、各動画において、それぞれのフレームに同一のＵＭＩＤを付与するものとする。ここで、ＵＭＩＤは、動画の識別情報の一例である。なお、本実施形態においては、動画を対象とした画像変換を例に説明を行うが、画像変換の対象となる画像は動画に限定されるものではなく、静止画であってもよい。
【００１４】
図２は、情報処理装置１００を示すブロック図である。情報処理装置１００は、ＣＰＵ１０１と、ＣＰＵ１０１の処理手順を記述した制御プログラムを記憶するためのＲＯＭ１０２と、ワークメモリとして一時的に制御プログラムやデータを格納するＲＡＭ１０３を備える。また、情報処理装置１００は、アプリケーションやＯｐｅｒａｔｉｎｇ  Ｓｙｓｔｅｍ（以下、ＯＳとする）等の各プログラムとデータを格納するためのＨＤＤ１０４を備える。また、情報処理装置１００は、イーサネット（登録商標）等で外部ネットワーク１３０と接続するためのネットワークＩ／Ｆ１０５を備える。また、情報処理装置１００は、マウス１１３やキーボード１１４等の入力デバイス１１２からのユーザ入力を処理するユーザＩ／Ｆ１０６を備える。また、情報処理装置１００は、画像を記憶するＶＲＡＭ１０７と、画像処理部１０８と、表示制御部１０９と、液晶ディスプレイ等のディスプレイ１１０を備える。また、情報処理装置１００は、モニタ１５０への出力を制御する外部モニタＩ／Ｆ１１１を備える。これらは、各要素間の制御信号やデータ信号のための伝送路である内部バス１１５と接続されている。
【００１５】
図３は、動画形式変換に用いられるアプリケーションにより表示される表示画面３００の一例を示す図である。表示画面３００には、プレビュー領域３１０と、再生コントロールＵＩ（User  Interface）３２０と、パラメータ設定ＵＩ３３０と、ＩＤＴ設定ＵＩ３４０と、変換ボタン３５０とが含まれている。プレビュー領域３１０には、アプリケーションに読み込まれたＲＡＷ動画が適切な画角に縮小されたものが表示される。
【００１６】
再生コントロールＵＩ３２０は、アプリケーションに読み込まれているＲＡＷ動画の再生・停止やコマ送り等の指示を入力するためのＵＩである。パラメータ設定ＵＩ３３０は、ＲＡＷ動画の現像の際に適用するパラメータを設定するためのＵＩである。ＩＤＴ設定ＵＩ３４０は、現像後のＲＧＢ信号に対し、ＡＣＥＳ規格におけるＩＤＴ（Input  Device  Transform）処理を行うために用いるＩＤＴの種類を設定するためのＵＩである。なお、ＩＤＴ処理は、色再現性の補正処理と、色空間の変換処理と、を含む処理である。変換ボタン３５０は、ＲＡＷ動画をＯｐｅｎＥＸＲ動画に変換する指示を入力するためのＵＩである。
【００１７】
アプリケーションは、これらのＵＩを介して入力された情報に基づいて、ＲＡＷ動画をＯｐｅｎＥＸＲ動画に変換する。なお、表示画面３００には、これ以外にも、動画形式変換対象のＲＡＷ動画を指定するためのＲＡＷ動画指定ＵＩや、モニタ１５０へのＲＡＷ動画の出力指示を入力するための出力ＵＩ等が表示されてもよい。
【００１８】
図４は、変換履歴テーブル４００の一例を示す図である。変換履歴テーブル４００は、ＨＤＤ１０４に記憶されているものとする。変換履歴テーブル４００は、履歴ＩＤと、ＲＡＷ動画のＵＭＩＤと、変換パラメータと、ＯｐｅｎＥＸＲ動画のＵＭＩＤとを対応付けて記憶している。変換パラメータは、現像パラメータと、ＩＤＴ種類とを含んでいる。なお、図４（ａ）に示す例では、履歴ＩＤ「１」に対応付けられた１つのレコード４０１が記録され、図４（ｂ）に示す例では、履歴ＩＤ「１」、「２」それぞれに対応付けられた２つのレコード４０１，４０２が記録されている。なお、初期状態では、変換履歴テーブル４００には、レコードは記録されていないものとする。
【００１９】
図５は、情報処理装置１００による、画像形式変換処理を示すフローチャートである。ここで、ＲＡＷ動画は、情報処理装置１００のＨＤＤ１０４に格納されているものとする。なお、画像形式変換処理は、ＣＰＵ１０１が、ＨＤＤ１０４等に記憶されている、動画形式変換に用いられるアプリケーションを読み出し、このアプリケーションを実行することにより実現する処理である。
【００２０】
ステップＳ５００において、ＣＰＵ１０１は、ＲＡＷ動画を指定した、動画形式の変換指示を受け付けると、変換指示に係るＲＡＷ動画をＨＤＤ１０４から読み出し、ＲＡＭ１０３に格納する。その後、ＣＰＵ１０１は、パラメータ設定ＵＩ３３０の設定に応じてＲＡＷ動画の先頭フレームを現像し、ベイヤ配列のＲＧＢ信号からデベイヤされたＲＧＢ信号をプレビュー領域３１０に表示する。次に、ステップＳ５０１において、ＣＰＵ１０１は、動画景色の変換指示を受け付けたか否かを確認する。ＣＰＵ１０１は、ユーザにより変換ボタン３５０が押下された場合に変換指示を受け付ける（受付処理）。ＣＰＵ１０１は、変換指示を受け付けた場合には（ステップＳ５０１でＹｅｓ）、処理をステップＳ５０２へ進める。ＣＰＵ１０１は、変換指示を受け付けなかった場合には（ステップＳ５０１でＮｏ）、ステップＳ５０１へ戻り、ユーザの指示を待つ。
【００２１】
ステップＳ５０２において、ＣＰＵ１０１は、ＲＡＷ動画の先頭フレームに対応するファイルからＲＡＷ動画のＵＭＩＤを取得する。さらに、ＣＰＵ１０１は、変更指示に係る変換パラメータとして、パラメータ設定ＵＩ３３０において設定された現像パラメータの値と、ＩＤＴ設定ＵＩ３４０において設定されたＩＤＴの種類を取得する。次に、ステップＳ５０３において、ＣＰＵ１０１は、変換履歴テーブル４００をＨＤＤ１０４から読み出す。そして、ＣＰＵ１０１は、変換指示に係るＲＡＷ動画のＵＭＩＤ及び変換指示に係る変換パラメータが、変換履歴テーブル４００において対応付けられているＲＡＷ動画のＵＭＩＤ及び変換パラメータと一致するか否かを判断する（判断処理）。なお、ＣＰＵ１０１は、現像パラメータの設定値及びＩＤＴの種類がすべて一致する場合に変換パラメータが一致すると判断するものとする。
【００２２】
ＣＰＵ１０１は、一致すると判断した場合には（ステップＳ５０３でＹｅｓ）、処理をステップＳ５０８へ進める。ＣＰＵ１０１は、一致しないと判断した場合には（ステップＳ５０３でＮｏ）、処理をステップＳ５０４へ進める。なお、変換履歴テーブル４００にレコードが記録されていない場合には、変換履歴テーブル４００に一致するＲＡＷ動画のＵＭＩＤ及び変換パラメータが記録されていない。したがって、ＣＰＵ１０１は、一致しないと判断し（ステップＳ５０３でＮｏ）、処理をステップＳ５０４へ進める。
【００２３】
ステップＳ５０４において、ＣＰＵ１０１は、ＯｐｅｎＥＸＲ動画に付与するＵＭＩＤを生成する。ここで、ＵＭＩＤについて説明する。本実施形態においては、ＣＰＵ１０１は、ＳＭＰＴＥ  ３３０Ｍで規定されているＢａｓｉｃ  ＵＭＩＤを生成する。Ｂａｓｉｃ  ＵＭＩＤは、３２バイトのデータであり、１２バイトのＵｎｉｖｅｒｓａｌ  Ｌａｂｅｌ、１バイトのデータ長、３バイトのＩｎｓｔａｎｃｅ  Ｎｕｍｂｅｒ、１６バイトのＭａｔｅｒｉａｌ  Ｎｕｍｂｅｒから構成される。上記Ｍａｔｅｒｉａｌ  Ｎｕｍｂｅｒ内に、日時情報から算出される８バイトのＴｉｍｅ  Ｓｎａｐや値や２バイトのランダム値が存在し、ＵＭＩＤの一意性が保証される。
【００２４】
次に、ステップＳ５０５において、ＣＰＵ１０１は、ステップＳ５０２で取得した変換パラメータを用いて、ＡＣＥＳ規格のＲＧＢ信号が格納されたＯｐｅｎＥＸＲ動画を生成する。ＯｐｅｎＥＸＲ動画を生成するための詳細な処理について説明する。ＣＰＵ１０１は、まず、取得した現像パラメータの設定に応じてＲＡＷ動画の各フレームを現像し、ベイヤ配列のＲＧＢ信号からデベイヤされたＲＧＢ信号を生成する。次に、ＣＰＵ１０１は、デベイヤ後のＲＧＢ信号に対し、ＩＤＴを適用し、色再現性の補正及び色空間の変換を行う。次に、ＣＰＵ１０１は、補正及び変換後のＲＧＢ信号に対し、ＯｐｅｎＥＸＲ形式の規格に適合するようにデータの並び変えを行い、さらにＯｐｅｎＥＸＲ形式の規格のファイルヘッダ部を生成し、並び変え後のデータに付与する。次に、ステップＳ５０６において、ＣＰＵ１０１は、ステップＳ５０４で生成したＵＭＩＤを、ステップＳ５０５で生成したＯｐｅｎＥＸＲ動画における各ファイルのヘッダ部に付与する。
【００２５】
次に、ステップＳ５０７において、ＣＰＵ１０１は、動画形式変換対象のＲＡＷ動画のＵＭＩＤと、変換指示に係る変換パラメータと、ＯｐｅｎＥＸＲ動画のＵＭＩＤと、を変換履歴テーブル４００に新たなレコードとして記録する。ＣＰＵ１０１は、さらに、Ｓ５０５で生成したＯｐｅｎＥＸＲ動画をＨＤＤ１０４に記録する。本処理が、初回の処理であった場合、図４（ａ）に示すように、変換履歴テーブル４００には、１つ目のレコード４０１が新たに記録される。また図４（ａ）に示すように、１つ目のレコード４０１が既に記録された状態において、Ｓ５０４〜Ｓ５０７の処理が実行された場合には、図４（ｂ）に示すように、２つ目のレコード４０２が新たに記録される。以上で、画像形式変換処理が終了する。
【００２６】
一方、ステップＳ５０８において、ＣＰＵ１０１は、変換履歴テーブル４００において、一致と判定されたレコード（行）のＯｐｅｎＥＸＲ動画のＵＭＩＤを取得する。次に、ステップＳ５０９において、ＣＰＵ１０１は、ステップＳ５０５と同様の手順でＯｐｅｎＥＸＲ動画を生成する。次に、ステップＳ５１０において、ＣＰＵ１０１は、ステップＳ５０８で取得したＯｐｅｎＥＸＲ動画のＵＭＩＤを、ステップＳ５０９で生成したＯｐｅｎＥＸＲ動画における各ファイルのヘッダ部に付与する。ＣＰＵ１０１は、さらに、ステップＳ５０９で生成したＯｐｅｎＥＸＲ動画をＨＤＤ１０４に記録する。本処理は、変換指示に係る変換後の画像に対し、記憶部に記憶されている変換後の画像の識別情報と同一の識別情報を割り当てる処理の一例である。
【００２７】
このように、ＣＰＵ１０１は、過去に同一の変換パラメータにより同一のＯｐｅｎＥＸＲ動画を生成したことがある場合には、新たに生成されたＯｐｅｎＥＸＲ動画に対し、同一のＯｐｅｎＥＸＲ動画のＵＭＩＤと同一のＵＭＩＤを割り当てる。これにより、新たに生成されたＯｐｅｎＥＸＲ動画に対し、自動的に変換前のＲＡＷ動画のＵＭＩＤ及び変換パラメータを対応付けることができる。すなわち、本実施形態の情報処理装置１００は、変換後の動画のＵＭＩＤと編集・カラーグレーディングの作業過程で適用されたパラメータを関連付けて記録する。さらに、情報処理装置１００は、過去に得られた変換後の動画のＵＭＩＤを、新たに得られた変換後の動画に付与する。これにより、過去に生成した動画像に対して施された編集やカラーグレーディングの結果を、再度生成された変換後の動画に自動的に対応付けることができる。
【００２８】
第１の実施形態の第１の変更例としては、動画形式変換前後の動画の形式は、実施形態に限定されるものではない。また、第２の変更例としては、情報処理装置１００は、各動画に関連付いた管理ファイルを別に生成し、当該管理ファイルにおいて、各動画のＵＭＩＤを格納することとしてもよい。
【００２９】
また、第３の変更例としては、情報処理装置１００は、現像パラメータ設定やＩＤＴ設定以外にも、ファイルフォーマットやフレームレート、動画の色空間等、その後の編集やカラーグレーディングに影響を与える項目を設定可能であってもよい。この場合、情報処理装置１００は、これらの項目の値を変換パラメータとして、変換後の画像の識別情報に対応付けて変換履歴テーブル４００に記録してもよい。
【００３０】
また、第４の変更例としては、過去に生成した変換後の動画に対して施された編集やカラーグレーディングの結果がＥＤＬ（Edit  Decision  List）やＣＤＬ（Color  Decision）の形で存在しているとする。この場合、情報処理装置１００は、これらの関連情報へのファイルパスを変換後の画像の識別情報に対応付けて変換履歴テーブル４００に記録してもよい。
【００３１】
また、第５の変更例としては、情報処理装置１００は、再度、同一の変換パラメータで変換された動画を生成する場合には、過去に同一の動画を生成したことがある旨をダイアログ上に表示ししてもよい。さらに、情報処理装置１００は、この場合には、新たなＯｐｅｎＥＸＲ動画を生成しないようにしてもよい。これにより、ＨＤＤ１０４の容量を無駄に消費するのを防ぐことができる。
【００３２】
また、第６の変更例としては、情報処理装置１００は、過去に生成したＯｐｅｎＥＸＲ動画のファイルパス（格納場所を示す情報）を、ＯｐｅｎＥＸＲ動画のＵＭＩＤに対応付けて変換履歴テーブル４００に記録しておいてもよい。この場合、情報処理装置１００は、変更指示に係るＲＡＷ動画及び変換パラメータが変換履歴テーブル４００に対応付けて記憶されているＲＡＷ動画及び変換パラメータと一致するか否かを判断する。そして、情報処理装置１００は、一致すると判断した場合には、同一レコード（行）に記載のファイルパスに、ＯｐｅｎＥＸＲ動画が記録されているか否かを確認する（確認処理）。そして、情報処理装置１００は、ＯｐｅｎＥＸＲ動画が記録されている場合には、ファイルパスをダイアログ上に表示する。本処理は、格納場所を示す情報を出力する出力処理の一例である。そして、情報処理装置１００は、ファイルパスにＯｐｅｎＥＸＲ動画が記録されていない場合に限り、再度ＯｐｅｎＥＸＲ動画を生成することとする（生成処理）。
【００３３】
（第２の実施形態）
第１の実施形態に係る情報処理装置１００は、過去に生成したＯｐｅｎＥＸＲ動画と同一のＯｐｅｎＥＸＲ動画を再度生成した場合には、新たに生成されたＯｐｅｎＥＸＲ動画に対し、過去に生成されたＯｐｅｎＥＸＲ動画と同一のＵＭＩＤを割り当てた。これに対し、第２の実施形態に係る情報処理装置１００は、新たに生成されたＯｐｅｎＥＸＲ動画に対し、過去に生成された同一のＯｐｅｎＥＸＲ動画のＵＭＩＤと異なるＵＭＩＤを割り当てる。そして、情報処理装置１００は、２つのＯｐｅｎＥＸＲ動画のＵＭＩＤを対応付けて記憶することにより、両ＯｐｅｎＥＸＲ動画を紐付ける。以下、第２の実施形態に係る画像形式変換システムについて、第１の実施形態に係る画像形式変換システムと異なる点について説明する。
【００３４】
図６は、第２の実施形態に係る変換履歴テーブル６００の一例を示す図である。変換履歴テーブル６００は、履歴ＩＤに対応付けて、図４に示す第１の実施形態に係る変換履歴テーブル４００の各項目に加えて、新たに生成したＯｐｅｎＥＸＲ動画のＵＭＩＤを記憶している。
【００３５】
図７は、第２の実施形態に係る情報処理装置１００による、画像形式変換処理を示すフローチャートである。なお、図５に示す画像形式変換処理の各処理と同一の処理には同一の番号を付している。ステップＳ５０３において、ＣＰＵ１０１は、一致すると判定した場合には（ステップＳ５０３でＹｅｓ）、処理をステップＳ７００へ進める。なお、ステップＳ７００〜ステップＳ７０２の処理は、ステップＳ５０４〜ステップＳ５０６の処理と同様である。そして、ＣＰＵ１０１は、ステップＳ７０２の処理の後、処理をステップＳ７０３へ進める。
【００３６】
ステップＳ７０３において、ＣＰＵ１０１は、一致すると判定されたレコード（行）の新たに生成したＯｐｅｎＥＸＲ動画のＵＭＩＤの欄に、Ｓ７００において生成されたＵＭＩＤを記録する。以上で、画像形式変換処理が完了する。なお、第２の実施形態に係る画像形式変換システムのこれ以外の構成及び処理は、第１の実施形態に係る画像形式変換システムの構成及び処理と同様である。
【００３７】
このように、第２の実施形態に係る情報処理装置１００は、過去に生成されたＯｐｅｎＥＸＲ動画のＵＭＩＤと、今回生成したＯｐｅｎＥＸＲ動画のＵＭＩＤとを関連付けて記録する。したがって、例えば、カラーグレーディング装置１２０側で変換履歴テーブル６００を参照することで、過去に生成したＯｐｅｎＥＸＲ動画の変換パラメータを、今回生成したＯｐｅｎＥＸＲ動画に関連付けることが可能となる。
【００３８】
なお、情報処理装置１００は、変換パラメータと、変換前後の画像とを対応付けて記録すればよく、そのための具体的な処理は、実施形態に限定されるものではない。例えば、情報処理装置１００は、変換前のＲＡＷ動画のファイル内に、変換パラメータ及びＯｐｅｎＥＸＲ動画のＵＭＩＤを対応付けて記録してもよい。また、情報処理装置１００は、変換指示に係る変換パラメータ及び画像が記憶部において対応付けられている変換前の画像及び変換パラメータと一致したとする。この場合、情報処理装置１００は、変換指示に係る画像を、記憶部に記憶されている変換前の画像及び変換パラメータに対応付けて記録すればよく、そのための具体的な処理は、実施形態に限定されるものではない。
【００３９】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００４０】
以上、上述した各実施形態によれば、変換パラメータを用いて生成された画像と同一の画像が過去に生成された際に利用された変換パラメータと、新たに生成された画像と、を自動的に対応付けることができる。
【００４１】
以上、本発明の好ましい実施形態について説明したが、本発明はこれらの実施形態に限定されず、その要旨の範囲内で種々の変形及び変更が可能である。また、以下の様にして達成することも可能である。
【００４２】
まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【００４３】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）等が実際の処理の一部または全部を行い、その処理によって前述した実施形態の機能が実現される場合である。ここでプログラムコードを記憶する記憶媒体としては、例えば、ハードディスク、ＲＯＭ、ＲＡＭ、不揮発性のメモリカードＣＤ−ＲＯＭ、ＣＤ−Ｒ、ＤＶＤ、光ディスク、光磁気ディスク、ＭＯ等が考えられる。また、ＬＡＮ（ローカル・エリア・ネットワーク）やＷＡＮ（ワイド・エリア・ネットワーク）等のコンピュータネットワークを、プログラムコードを供給するために用いることができる。
【符号の説明】
【００４４】
１００  情報処理装置
１２０  カラーグレーディング装置
【図１】
2017046172.tif 000003
【図２】
2017046172.tif 000004
【図３】
2017046172.tif 000005
【図４】
2017046172.tif 000006
【図５】
2017046172.tif 000007
【図６】
2017046172.tif 000008
【図７】
2017046172.tif 000009